(57)【要約】【課題】障害発生時の伝送システムの伝送路の切替における雑音の累積の影響を軽減し、受信装置を簡素化し、低消費電力化する。【解決手段】第１の伝送路の障害発生を検知する障害検知手段と、障害発生を検知したとき、中継する信号の波長を変換する波長変換手段とを備える中継装置と、信号の波長の変換を検知したとき、第１の伝送路から第２の伝送路に切替える伝送路切替手段を備える受信装置、を含む。【選択図】      図３
2014082583.tif 000002
【特許請求の範囲】
【請求項１】
第１の伝送路の障害発生を検知する障害検知手段と、
前記障害発生を検知したとき、中継する信号の波長を変換する波長変換手段と
を備える中継装置と、
前記信号の波長の変換を検知したとき、前記第１の伝送路から第２の伝送路に切替える伝送路切替手段
を備える受信装置、
を含むことを特徴とした伝送システム。
【請求項２】
前記波長変換手段は、変換後の信号の波長の少なくとも一部が所定の波長範囲に含まれるように前記変換を行い
前記伝送路切替手段は、前記所定の波長範囲に信号が少なくとも一部が含まれていることを検知して前記検知を行う
ことを特徴とした請求項１に記載の伝送システム。
【請求項３】
前記障害検知手段は、
前記第１の伝送路からの信号レベルが所定のレベルを下回ることを検知する手段、
または、
前記第１の伝送路で、前段に位置する中継装置が発信する障害情報を検知する手段、
を備える
ことを特徴とする請求項１または請求項２に記載の伝送システム。
【請求項４】
前記伝送路切替手段は、前記第１の伝送路からの信号レベルが所定のレベルを下回ることを検知したとき、前記第２の伝送路に切替える
ことを特徴とする請求項１から請求項３のいずれか１項に記載の伝送システム。
【請求項５】
伝送路の障害発生を検知する障害検知手段と、
前記障害発生を検知したとき、中継する信号の波長を変換し、前記信号の波長の変換を検知したとき、前記第１の伝送路から第２の伝送路に切替える装置へ出力する波長変換手段と
を備えることを特徴とする中継装置。
【請求項６】
障害発生が検知されたとき、波長が変換され、第１の伝送路から入力された信号を入力し、前記信号の波長の変換を検知したとき、前記第１の伝送路から第２の伝送路に切替える伝送路切替手段、
を備えることを特徴とした受信装置。
【請求項７】
前記伝送路切替手段は、前記第１の伝送路からの信号レベルが所定のレベルを下回ることを検知したとき、前記第２の伝送路に切替えること、
を備えることを特徴とする請求項６に記載の受信装置。
【請求項８】
第１の伝送路の障害発生を検知したとき、中継する信号の波長を波長変換し、
前記波長変換を検知したとき、前記第１の伝送路から第２の伝送路に切替える
ことを特徴とする伝送路切替方法。
【発明の詳細な説明】
【技術分野】
【０００１】
本発明は、伝送路の障害発生を通知する伝送システム、中継装置、受信装置および伝送路切替方法に関する。
【背景技術】
【０００２】
一般的に光伝送システムは、通信インフラの中で大きな情報量を伝送する基幹システムであり、その信頼性向上のためにプロテクション機能を有する必要がある。
【０００３】
特許文献１には、光伝送装置および光多重伝送装置を使用した無中継光伝送システムが開示されている。特許文献１の無中継光伝送システムでは、送信側で信号光が２分岐され、受信側で信号光のレベルが検出され、信号光が切替えられる受信側装置が開示されている。
【０００４】
特許文献２には、光中継器とそれを使用した光伝送システムが開示されている。光中継器は、信号光のレベルが所定のレベルを下回ると、障害が発生したとして所定の警報信号を出力する。その警報信号の受信から障害が発生したことが検知され、信号光が切替えられる。
【０００５】
図９は、光伝送システムの構成例を示したシステム図である。図１０は、受信装置の構成例を示したブロック図である。
【０００６】
図９の光伝送システムの構成例について説明する。図９の光伝送システムは、送信装置１、受信装置２、伝送路１０１、伝送路１０２から伝送路１０ｋ（ｋは１以上の整数）を備えている。伝送路１０１は、中継装置（１、１）１０から中継装置（ｊ、１）１０（ｊは１以上の整数）を備えている。伝送路１０２は、中継装置（１、２）１０から中継装置（ｊ、２）１０を備え、伝送路１０ｋは、中継装置（１、ｋ）１０から中継装置（ｊ、ｋ）１０を備えている。
【０００７】
送信装置１は、光伝送システムの送信側である。受信装置２は、光伝送システムの受信側である。中継装置１０は、各伝送路１０１〜１０ｋにおいて、送信側からの光信号を受信側に中継する。
【０００８】
図９を参照して、伝送路１０１の中継装置（ｊ−１、１）１０の直前で、障害が発生した場合の伝送路の切替について説明する。
【０００９】
中継装置（ｊ−１、１）１０は、伝送路１０１からの信号光レベルをモニタリングして、障害発生を検知する。中継装置（ｊ−１、１）１０は、信号光レベルが所定のレベルを下回ったとき、障害が発生したと判断する。また、中継装置（ｊ−１、１）１０は、前段に位置する中継装置（１、１）１０から中継装置（ｊ−２、１）１０の監視信号に含まれる障害発生情報をモニタリングして、障害発生を検知する。そして、中継装置（ｊ−１、１）１０は、障害発生を検知して、監視信号に障害発生情報を含めて、後段の伝送路１０１に送信する。中継装置（ｊ、１）１０は、監視信号を後段の伝送路に中継する。
【００１０】
受信装置２は、伝送路１０１からの監視信号を受信して、中継器（ｊ−１、１）１０からの障害発生情報を検知する。そして、障害の発生した伝送路１０１からの信号を、予め決められた予備の伝送路１０ｋの信号に切替えて受信する。このように、受信装置２は、光伝送システムの動作を確保する。
【００１１】
図１０は、受信装置の構成例を示したブロック図である。図１０を参照して、受信装置の構成について説明する。
【００１２】
受信装置２は、伝送路１０１からの信号を処理する高速信号検出受信部（１）２１と、復号部（１）２２を備えている。また、受信装置２は、伝送路１０ｋからの信号を処理する高速信号検出受信部（ｋ）２１と、復号部（ｋ）２２を備えている。受信装置２は、各複合部からの主信号を切替えるスイッチ２３を備えている。
【００１３】
高速信号検出受信部（１）２１は、伝送路１０１の中継装置（ｊ、１）１０からの入力信号を受信する。復号部（１）２２は、高速信号検出受信部（１）２１にて受信した信号から、主信号と切替信号を復号化する。
【００１４】
高速信号検出受信部（ｋ）２１は、伝送路１０ｋの中継装置（ｊ、ｋ）１０からの入力信号を受信する。復号部（ｋ）２２は、高速信号検出受信部（ｋ）２１にて受信した信号から、主信号と切替信号を復号化する。
【００１５】
スイッチ２３は、復号部（１）２２から復号部（ｋ）２２までの主信号を、復号部（１）２２から復号部（ｋ）２２までの切替信号によって選択的に切替えて出力する。
【００１６】
図９にて示した障害が発生した場合の切替について説明する。伝送路１０１の障害情報は、中継装置（ｊ、１）１０から出力されて、高速信号検出受信部（１）２１にて受信され、復号部（１）２２で復号される。復号部（１）２２は、障害情報から障害発生を検知して、切替信号を出力する。この切替信号は、伝送路１０１の障害発生を示す。
【００１７】
この切替信号を受けたスイッチ２３は、伝送路１０１に対応する復号部（１）からの主信号を、予め決められた予備の伝送路１０ｋに対応する復号部（ｋ）からの主信号に切替えて出力する。この時、スイッチ２３は、予備の伝送路１０ｋの切替信号により伝送路１０ｋに障害が発生していないことを確認する。これにより、受信装置２は、障害発生した伝送路１０１から、予備の伝送路１０ｋに主信号を切替えて、伝送システムの動作を確保する。
【先行技術文献】
【特許文献】
【００１８】
【特許文献１】特開２００１−２２３６１６号公報（第５頁、図１、２）
【特許文献２】特開平０７−０３８５０６号公報（第３、４頁、図１）
【発明の概要】
【発明が解決しようとする課題】
【００１９】
特許文献１、特許文献２および例示した光伝送システムの技術は、信号光レベルをモニタリングし、所定のレベルを下回ることで障害が発生したことを検知する。複数の中継装置によって多段に中継される伝送路は、光雑音が後段に行くほど累積される。そのため、受信装置では、この光雑音の累積の影響を受けて、信号光のレベルの低下を検知することが困難となる。
【００２０】
したがって、これらの技術では、受信装置が光雑音の累積によって、信号光レベルの低下を検知できないという課題がある。
【００２１】
また、特許文献２および例示した光伝送システムの技術の中継装置では、信号光レベルの低下を検知し、障害発生を伝える警報信号を出力する。この技術では、受信装置に、その警報信号を受信する機能を設ける必要がある。そのため、多重化された光伝送路の受信装置では、対応する警報信号を受信する機能を伝送路の本数分だけ設ける必要がある。したがって、この技術の受信装置では、先に説明した光雑音の累積による影響は軽減されているが、警報信号を受信する機能を伝送路の本数分設ける必要があるため、受信装置が複雑となり、消費電力も大きくなるという課題がある。
【００２２】
特許文献１、特許文献２の技術は、光伝送システムに関するものであるが、電気信号の伝送についても、雑音の累積や、警報信号の受信のための伝送路による受信装置の複雑化や消費電力の増大は、共通の問題である。
【００２３】
本発明の目的は、上記の課題に鑑みてなされたもので、障害発生時の伝送システムの伝送路の切替における雑音の累積の影響を軽減し、受信装置を簡素化し、低消費電力化することにある。
【課題を解決するための手段】
【００２４】
本発明の伝送システムは、第１の伝送路の障害発生を検知する障害検知手段と、障害発生を検知したとき、中継する信号の波長を変換する波長変換手段とを備える中継装置と、信号の波長の変換を検知したとき、第１の伝送路から第２の伝送路に切替える伝送路切替手段を備える受信装置とを含むことを特徴とする。
【００２５】
本発明の中継装置は、伝送路の障害発生を検知する障害検知手段と、前記障害発生を検知したとき、中継する信号の波長を変換し、前記信号の波長の変換を検知したとき、前記第１の伝送路から第２の伝送路に切替える装置へ出力する波長変換手段とを備えることを特徴とする。
【００２６】
本発明の受信装置は、障害発生が検知されたとき、波長が変換され、第１の伝送路から入力された信号を入力し、前記信号の波長の変換を検知したとき、前記第１の伝送路から第２の伝送路に切替える伝送路切替手段を備えることを特徴とする。
【００２７】
本発明の伝送路切替方法は、第１の伝送路の障害発生を検知したとき、中継する信号の波長を波長変換し、波長変換を検知したとき、第１の伝送路から第２の伝送路に切替えることを特徴とする。
【発明の効果】
【００２８】
本発明によれば、伝送システムの伝送路の切替における雑音の累積の影響を軽減し、受信装置を簡素化し、低消費電力化することが可能となる。
【図面の簡単な説明】
【００２９】
【図１】本発明の第１の実施形態の光伝送システムの構成例を示したシステム図である。
【図２】本発明の第１の実施形態の受信装置の構成例を示したブロック図である。
【図３】本発明の第１の実施形態の、必須の構成のみを備える光伝送システムの構成例を示したブロック図である。
【図４】本発明の第１の実施形態の、必須の構成のみを備える中継装置の構成例を示したブロック図である。
【図５】本発明の第１の実施形態の、必須の構成のみを備える受信装置の構成例を示したブロック図である。
【図６】本発明の第２の実施形態の光伝送システムの構成例を示したシステム図である。
【図７】本発明の第２の実施形態の受信装置の構成例を示したブロック図である。
【図８】本発明の障害通知用波長への変換例を示すイメージ図である。
【図９】光伝送システムの構成例を示したシステム図である。
【図１０】受信装置の構成例を示したブロック図である。
【発明を実施するための形態】
【００３０】
以下に、本発明の実施形態について図面を参照して詳細に説明する。
（第１の実施形態）
本発明の第１の実施形態について説明する。図１は、本発明の第１の実施形態の光伝送システムの構成例を示したシステム図である。図２は、本発明の第１の実施形態の受信装置の構成例を示したブロック図である。
【００３１】
図１を参照して、本発明の第１の実施形態の光伝送システムの構成を説明する。なお、図７にて説明した光伝送システムとは、中継装置１１と受信装置３が、相違すること以外は、同一の構成を備えている。同一の構成には、同一の名称と同一の番号を付記して説明を省略する。
【００３２】
図１の光伝送システムでは、受信装置３と、各伝送路１０１から１０ｋの最終段の中継装置１１が、本発明にかかる装置である。
【００３３】
図１を参照して、伝送路１０１の中継装置（ｊ−１、１）１０の直前で、障害が発生した場合の伝送路の切替について説明する。中継装置（ｊ−１、１）１０は、伝送路１０１からの信号光レベルをモニタリングして、障害発生を検知する。中継装置（ｊ−１、１）１０は、信号光レベルが所定のレベルを下回ったとき、障害が発生したと判断する。また、中継装置（ｊ−１、１）１０は、前段に位置する中継装置（１、１）１０から中継装置（ｊ−２、１）１０の監視信号に含まれる障害発生情報をモニタリングして、障害発生を検知する。そして、中継装置（ｊ−１、１）１０は、障害発生を検知して、監視信号に障害発生情報を含めて、後段の伝送路１０１に送信する。
【００３４】
最終段に位置する中継装置（ｊ、１）１１は、本発明にかかる中継装置である。中継装置（ｊ、１）１１は、監視信号の障害発生情報をモニタリングして、障害発生を検知する。そして、中継する信号を障害通知用の波長に変換して、後段の伝送路に送信する。また、中継装置（ｊ、１）１１は、伝送路１０１からの信号光レベルをモニタリングする。中継装置（ｊ、１）１１は、信号光レベルが所定のレベルを下回ることで、障害が発生したことを検知する。この場合も、中継装置（ｊ、１）１１は、中継する信号を障害通知用の波長に変換して、後段の伝送路に送信する。
【００３５】
受信装置３は、伝送路１０１からの信号を受信して、障害通知用の波長への変換の有無をモニタリングする。受信装置３は、中継装置（ｊ、１）１１から中継された信号が障害発生通知用の波長に変換されていることを検知して、伝送路１０１に障害が発生したと判断する。そして、受信装置３は、伝送路１０１からの信号を、予め決められた予備の伝送路１０ｋの信号に切替えて受信する。これにより、受信装置３は、障害の発生した伝送路１０１から予備の伝送路１０ｋに切替えて、伝送システムの動作を確保することができる。
【００３６】
図２は、本発明の第１の実施形態の受信装置の構成例を示したブロック図である。図２を参照して、第１の実施形態の受信装置３の構成について説明する。
【００３７】
図２の第１の実施形態の受信装置３は、伝送路１０１からの信号を受信して処理するため、光入力低下検出部（１）２４と、カプラ（１）２５と、障害波長用フィルタ（１）２６と、検出器（１）２７を備えている。また、受信装置３は、伝送路１０ｋからの信号を受信して処理するため、光入力低下検出部（ｋ）２４と、カプラ（ｋ）２５と、障害波長用フィルタ（ｋ）２６と、検出器（ｋ）２７を備えている。そして、受信装置３は、スイッチ２３と、高速信号検出受信部２１と、復号部２２を備えている。
【００３８】
光入力低下検出部（１）２４は、伝送路１０１の中継装置（ｊ、１）１１からの入力信号を受信する。そして、後段のカプラ（１）２５に中継する。さらに、光入力低下検出部（１）２４は、受信した入力信号のレベルの低下を検出する。カプラ（１）２５は、受信した入力信号を、後段のスイッチ２３と障害波長用フィルタ（１）２６に分岐する。障害波長用フィルタ（１）２６は、カプラ（１）２５にて分岐された入力信号から、障害通知用の波長に変換された信号を分離する。検出器（１）２７は、前段の障害波長用フィルタ（１）２６にて分離された障害通知用の波長の信号レベルを検出する。伝送路１０ｋからの信号を受信して処理を行う各部は、伝送路１０１の信号の処理を行う各部と同様であり、同一の名称と同一の番号を付記して説明を省略する。
【００３９】
スイッチ２３は、所定の切替信号にしたがって、伝送路１０１に対応するカプラ（１）２５からの主信号を、伝送路１０ｋに対応するカプラ（ｋ）２５の主信号に切替えて出力する。高速信号検出受信部２１は、スイッチ２３からの入力信号を受信する。復号部２２は、高速信号検出受信部２１からの信号を復号化する。
【００４０】
図１にて示した伝送路１０１の中継装置（ｊ−１、１）１０の直前で、障害が発生した場合の伝送路の切替について、図２を参照して説明する。中継装置（ｊ−１、１）１０は、伝送路１０１からの信号光レベルをモニタリングして、障害発生を検知する。中継装置（ｊ−１、１）１０は、信号光レベルが所定のレベルを下回ったとき、障害が発生したと判断する。そして、中継装置（ｊ−１、１）１０は、障害発生を検知して、監視信号に障害発生情報を含めて、後段の伝送路１０１に送信する。
【００４１】
最終段に位置する中継装置（ｊ、１）１１は、監視信号の障害発生情報をモニタリングして、障害発生を検知する。そして、中継する信号を障害通知用の波長に変換して、後段の伝送路に送信する。
【００４２】
受信装置３の光入力低下検出部（１）２４は、中継装置（ｊ、１）１１からの入力信号を受信して、後段のカプラ（１）２５に中継する。カプラ（１）２５は、受信した入力信号を、後段のスイッチ２３と障害波長用フィルタ（１）２６に分岐する。障害波長用フィルタ（１）２６は、カプラ（１）２５にて分岐された信号から、障害通知用の波長に変換された信号を分離する。
【００４３】
検出器（１）２７は、前段の障害波長用フィルタ（１）２６にて分離された障害通知用の波長の信号レベルをモニタリングする。そして、検出器（１）２７は、信号レベルが所定のレベルを上回ると、伝送路１０１で障害が発生したと判断し、切替信号Ａ−１をスイッチ２３に出力する。
【００４４】
スイッチ２３は、検出器（１）２７からの切替信号Ａ−１を受信して、伝送路１０１に対応するカプラ（１）２５からの主信号を、予め決められた予備の伝送路１０ｋに対応するカプラ（ｋ）２５からの主信号に切替える。この時、スイッチ２３は、予備の伝送路１０ｋの切替信号Ａ−ｋ、Ｂ−ｋにより伝送路１０ｋに障害が発生していないことを確認する。そして、スイッチ２３は、切替えた信号を、後段の高速信号検出受信部２１に出力する。これにより、受信装置３は、障害の発生した伝送路１０１から、予備の伝送路１０ｋに切替えて伝送システムの動作を確保することができる。
【００４５】
なお、最終段の中継装置（ｊ、１）１１と受信装置３の区間の伝送路１０１の障害発生は、光入力低下検出部（１）２４にて検知される。つまり、光入力低下検出部（１）２４は、伝送路１０１から入力信号のレベルが、所定のレベルを下回ることで、障害が発生したことを検知する。そして、スイッチ２３に切替信号Ｂ−１を出力する。
【００４６】
したがって、光入力低下検出部（１）２４の切替信号Ｂ−１を受信したスイッチ２３は、先に説明した検出器（１）２７の切替信号Ａ−１を受信したと同様に、伝送路１０１に対応するカプラ（１）２５からの主信号を、予め決められた予備の伝送路１０ｋに対応するカプラ（ｋ）２５からの主信号に切替える。この時、スイッチ２３は、予備の伝送路１０ｋの切替信号Ａ−ｋ、Ｂ−ｋにより伝送路１０ｋに障害が発生していないことを確認する。そして、スイッチ２３は、切替えた信号を、後段の高速信号検出受信部２１に出力する。これにより、受信装置３は、中継装置（ｊ、ｋ）１１と受信装置３の間の区間で障害が発生した伝送路１０１から、予備の伝送路１０ｋに切替えて伝送システムの動作を確保することができる。
【００４７】
このように、本発明の実施形態では、送信装置１から最終段に設けた中継装置（ｊ、１）１１までの区間の伝送路１０１の障害発生を、中継装置（ｊ、１）１１は、中継する信号を障害発生通知用の波長に変換して出力する。そして、受信装置３は、その障害発生通知用の波長に変換されたことを検知して、伝送路１０１に障害が発生したことを判断し、予め決められた予備の伝送路１０ｋに切替を行う。また、本発明の実施形態では、最終段に設けた中継装置（ｊ、１）１１と受信装置３の区間の伝送路１０１の障害発生を、受信装置３の入力信号の信号レベルの低下によって検知して、受信装置３は、同様の伝送路の切替を行う。
【００４８】
以上説明したとおり、本実施形態では、障害発生を検知して、伝送路の切替を行い、光伝送システムの動作を確保することができる。そして、本実施形態では、受信装置３は、切替信号の出力元から障害発生箇所の識別を行うことができる。つまり、例えば、切替信号Ａ−１による伝送路の切替は、伝送路１０１の送信装置１から中継装置（ｊ、１）までの区間での障害発生を示す。また、切替信号Ｂ−１による伝送路の切替は、伝送路１０１の中継装置（ｊ、１）から受信装置３までの区間での障害発生を示す。また、図１０で示した受信装置２で伝送路数分必要であった各部（高速信号検出受信部２１、復号部２２）を、図２で示した受信装置３のとおり削減することができる。これによって、受信装置の構成を簡素化し、消費電力の低減を図ることができる。さらに、本実施形態は、障害が発生したことを、中継器が中継する信号を障害通知用の波長に変換して通知する。この方法は、障害通知用の波長を、光増幅器の光雑音の影響を受けない波長範囲とすることで、光雑音の累積を軽減することができる。
【００４９】
なお、本願発明の実施形態で、波長変換する信号を、主信号としてもよいし、監視信号としてもよいし、両方の信号としてもよい。つまり、波長変換の対象とする信号は、予め決めた障害通知用の波長にかかる波長変換を行って、検知できる信号であれば、信号の意味、用途等は限定されない。
【００５０】
本願発明の実施形態では、中継装置１１は、受信装置３の直前に置かれているものとして説明したが、中継装置１０と中継装置１１の位置関係は任意である。伝送路のどの地点で障害があっても対応できるという面からは、中継装置１１は、受信装置３の直前に置くのが好ましい。
【００５１】
図３は、本願発明に必須の構成のみを備える光伝送システムの構成例を示したブロック図である。図４、図５に、本願発明に必須の構成のみを備える中継装置と受信装置のブロック図を示す。
【００５２】
図３の光伝送システムは、伝送路１０１、１０２と、本願発明の中継装置１１と受信装置３を備える。図３を参照して、光伝送システムの動作について説明する。
【００５３】
中継装置１１は、伝送路１０１の送信側からの光信号を受信し、後段の伝送路１０１に送信する。中継装置１１は、障害検知手段１１−１と障害波長変換手段１１−２を備える。障害検知手段１１−１は、受信した信号をモニタリングして、伝送路１０１の障害の発生を検知する。障害検知手段１１−１は、障害発生を検知すると、障害検知信号を出力する。障害波長変換手段１１−２は、受信した信号を、後段の伝送路１０１に送信する。障害検知手段１１−１からの障害検知信号の入力により、障害波長変換手段１１−２は、受信した信号を所定の障害通知用の波長に変換して、後段の伝送路１０１に送信する。
【００５４】
受信装置３は、伝送路１０１と１０２に接続されている。
【００５５】
受信装置３は、伝送路切替手段３−１を備える。伝送路切替手段３−１は、伝送路１０１、１０２から受信した信号をそれぞれモニタリングして、障害波長への変換の有無を検知する。伝送路１０１から受信した信号に、障害波長への変換を検知すると、伝送路切替手段３−１は、伝送路１０１に障害が発生したと判断する。そして、伝送路切替手段３−１は、障害が発生した伝送路１０１から、予め決められた予備の伝送路１０２に切替える。
【００５６】
このように、受信装置３は、障害の発生した伝送路１０１から予備の伝送路１０２に伝送路を切替えて、伝送システムの動作を確保することができる。
（第２の実施形態）
次に、本発明の第２の実施形態について説明する。図６は、本発明の第２の実施形態の光伝送システムの構成例を示したシステム図である。図７は、本発明の第２の実施形態の受信装置の構成例を示したブロック図である。
【００５７】
図６を参照して、本発明の第２の実施形態の光伝送システムの構成を説明する。図６の光伝送システムは、各伝送路の最終段の中継装置（ｊ、１）１２から中継装置（ｊ、ｋ）１２と受信装置４が相違していること以外は、図１の光伝送システムと同様の構成を有している。同一の構成には、同一の名称と同一の番号を付記して説明を省略する。受信装置４と中継装置１２は、本発明にかかる装置である。
【００５８】
図６を参照して、伝送路１０１の中継装置（ｊ−１、１）１０の直前で、障害が発生した場合の伝送路の切替について説明する。中継装置（ｊ−１、１）１０は、伝送路１０１からの信号光レベルをモニタリングして、障害発生を検知する。中継装置（ｊ−１、１）１０は、信号光レベルが所定のレベルを下回ったとき、障害が発生したと判断する。また、中継装置（ｊ−１、１）１０は、前段に位置する中継装置（１、１）１０から中継装置（ｊ−２、１）１０の監視信号に含まれる障害発生情報をモニタリングして、障害発生を検知する。そして、中継装置（ｊ−１、１）１０は、障害発生を検知して、監視信号に障害発生情報を含めて、後段の伝送路１０１に送信する。
【００５９】
最終段に位置する中継装置（ｊ、１）１２は、本発明にかかる中継装置である。中継装置（ｊ、１）１２は、監視信号の障害発生情報をモニタリングして、障害発生を検知する。また、中継装置（ｊ、１）１２は、伝送路１０１からの信号光レベルをモニタリングする。信号光レベルが所定のレベルを下回ることで、障害が発生したことを検知する。
中継装置（ｊ、１）１２は、障害が発生したことを検知して、伝送路１０１から受信した信号の後段への中継伝送を停止する。
【００６０】
受信装置４は、本発明にかかる受信装置である。受信装置４は、伝送路１０１からの信号レベルをモニタリングして、障害発生を検知する。つまり、中継装置（ｊ、１）１２からの中継信号が所定の信号レベルより低下していることを検知して、伝送路１０１からの信号を、予め決められた伝送路１０ｋの信号に切替えて受信する。これにより、受信装置４は、障害が発生した伝送路１０１から予備の伝送路１０ｋに切替えて、伝送システムの動作を確保することができる。
【００６１】
図７は、本発明の第２の実施形態の受信装置の構成例を示したブロック図である。図７を参照して、本実施形態の受信装置４の構成について説明する。
【００６２】
本実施形態の受信装置４は、図２で示した受信装置３と比べて、伝送路１０１からの信号を受信する光入力低下検出部（１）２４のみを備え、伝送路１０ｋからの信号を受信する光入力低下検出部（ｋ）２４のみを備えているところが、相違している。同一の構成には、同一の名称と同一の番号を付記して説明を省略する。
【００６３】
図６にて示した伝送路１０１の中継装置（ｊ−１、１）１０の直前で、障害が発生した場合の伝送路の切替について、図７を参照して説明する。中継装置（ｊ−１、１）１０は、伝送路１０１からの信号光レベルをモニタリングして、障害発生を検知する。中継装置（ｊ−１、１）１０は、信号光レベルが所定のレベルを下回ったとき、障害が発生したと判断する。そして、中継装置（ｊ−１、１）１０は、障害発生を検知して、監視信号に障害発生情報を含めて、後段の伝送路１０１に送信する。  最終段の中継装置（ｊ、１）１２は、監視信号の障害発生情報をモニタリングして、障害発生を検知する。また、中継装置（ｊ、１）１２は、伝送路１０１からの信号光レベルをモニタリングする。信号光レベルが所定のレベルを下回ることで、障害が発生したことを検知する。中継装置（ｊ、１）１２は、障害が発生したことを検知して、伝送路１０１から受信した信号の後段への中継伝送を停止する。
【００６４】
受信装置４の光入力低下検出部（１）２４は、伝送路１０１の中継装置（ｊ、１）１２からの入力信号を受信する。そして、後段のカプラ（１）２３に中継する。さらに、光入力低下検出部（１）２４は、受信した入力信号のレベルの低下を検出する。つまり、光入力低下検出部（１）２４は、伝送路１０１から入力信号のレベルが、所定のレベルを下回ることで、障害が発生したことを判断する。そして、スイッチ２３に切替信号を出力する。
【００６５】
スイッチ２３は、光入力低下検出器（１）２４から切替信号を受信して、伝送路１０１からの主信号を、予め決められた予備の伝送路１０ｋからの主信号に切替える。この時、スイッチ２３は、伝送路１０ｋの切替信号により伝送路１０ｋに障害が発生していないことを確認する。そして、スイッチ２３は、切替えた信号を、後段の高速信号検出受信部２１に出力する。これにより、受信装置４は、障害が発生した伝送路１０１から、予備の伝送路１０ｋに伝送路を切替えて伝送システムの動作を確保することができる。
【００６６】
このように、本実施形態では、送信装置１から最終段に設けた中継装置（ｊ、１）１２までの区間の伝送路１０１の障害発生を、中継装置（ｊ、１）１２は、受信した信号を後段に中継送出しないことで受信装置４に伝える。受信装置４は、入力信号レベルの低下を検知して、伝送路１０１から予め決められた予備の伝送路に切替を行う。また、本実施形態では、最終段に設けた中継装置（ｊ、１）１２と受信装置４の区間の伝送路１０１の障害発生についても、受信装置４は、入力信号レベルの低下を検知して、伝送路１０１から予め決められた予備の伝送路１０ｋに切替を行う。
【００６７】
したがって、本実施形態では、障害発生を検知して、伝送路の切替を行い、光伝送システムの動作を確保することができる。そして、本実施形態では、図２にて示した受信装置３で伝送路数分必要であった各部（カプラ２５、障害波長用フィルタ２６、検出部２７）を図７に示す通り削減することができ、受信装置の構成をさらに簡素化し、消費電力の低減を図ることができる。また、中継装置（ｊ、１）１２で、障害を検知した場合には、信号の中継を行わないので、受信装置４は、光雑音の累積による影響を軽減することができる効果がある。
【００６８】
なお、本願発明は、上述の各実施形態に限定されるものではなく、本願発明の要旨を逸脱しない範囲で種々変更、変形して実施することができる。
【００６９】
例えば、本願発明の実施形態では、光伝送路を複数備えるものとして説明したが、伝送路の本数は限定されない。すなわち、光伝送路であれば、光ファイバは単数でもよいし、複数の光ファイバを使用していてもよい。つまり、光伝送システムとして、プロテクト機能を備えるシステムであればよい。
【００７０】
また、本願発明の実施形態では、光伝送システムとして、伝送路に中継装置を複数備えるものとして説明したが、伝送路に本願発明にかかる中継装置のみを備えていてもよい。
【００７１】
さらに、本発明において、伝送される信号の種類は限定されない。本願発明の実施形態で示した光信号の伝送システムのみでなく、電気信号の伝送システムにも本発明は適用可能である。
【００７２】
電気信号の伝送システムでは、送信する情報によって搬送波を変調して伝送する方式が用いられることがある。このような伝送システムに本発明を適用する場合は、情報を搬送する搬送波の周波数を、伝送路の障害を検知して、所定の障害通知用の周波数に変換すればよい。例えば、搬送波で情報伝送する伝送チャネルに設けられるガードバンド帯域に、搬送波の周波数を変換すればよい。
【００７３】
搬送波を使用しない電気信号の伝送システムでは、その伝送帯域内で、一部の周波数の信号を所定の障害通知用の周波数に変換すればよい。あるいは、障害通知用の周波数の信号を生成してもよい。図８に、搬送波を使用しない電気信号の伝送システムにおける障害通知用の周波数への変換イメージを例示する。このように、本願発明は、光伝送システムのみでなく、電気信号の伝送システムにも適用することができる。
【符号の説明】
【００７４】
１    送信装置
２、３、４    受信装置
３−１    伝送路切替手段
１０、１１、１２    中継装置
１１−１    障害検知手段
１１−２    障害波長変換手段
２１    高速信号検出受信部
２２    複合部
２３    スイッチ
２４    光入力低下検出部
２５    カプラ
２６    障害波長用フィルタ
２７    検出部
１０１、１０２、１０ｋ    伝送路
【図１】
2014082583.tif 000003
【図２】
2014082583.tif 000004
【図３】
2014082583.tif 000005
【図４】
2014082583.tif 000006
【図５】
2014082583.tif 000007
【図６】
2014082583.tif 000008
【図７】
2014082583.tif 000009
【図８】
2014082583.tif 000010
【図９】
2014082583.tif 000011
【図１０】
2014082583.tif 000012